(57)【特許請求の範囲】
【請求項１】
複数のフレキシブル太陽電池モジュールをパイプハウスに装着して用いる際に隣り合う二つの該フレキシブル太陽電池モジュールを相互に連結するための連結シートであって、
透明な合成樹脂材料で形成されて隣り合う二つの前記フレキシブル太陽電池モジュールを相互に連結する際に組み合わせて用いられる一対の矩形シート状部材によって構成されており、各矩形シート状部材において、少なくとも一つの端縁部が該フレキシブル太陽電池モジュールに重ね合わせられて固着される固着縁部とされていると共に、他の少なくとも一つの端縁部には、該一対の矩形シート状部材を解除可能に連結する連結手段が設けられており、更に、該一対の矩形シート状部材の少なくとも一方には、該連結手段を該フレキシブル太陽電池モジュールの表面側から覆う保護部が設けられていることを特徴とする連結シート。
【請求項２】
前記矩形シート状部材の少なくとも一部によって光学レンズが構成されている請求項１に記載の連結シート。
【請求項３】
各前記矩形シート状部材の互いに連結される前記端縁部において裏側延出片と表側延出片が設けられており、該裏側延出片に前記連結手段が設けられていると共に、該表側延出片に前記保護部が設けられている請求項１又は２に記載の連結シート。
【請求項４】
前記一対の矩形シート状部材のそれぞれにおいて、前記連結手段の設けられた前記端縁部と前記固着縁部が該一対の矩形シート状部材の対辺部分に位置している請求項１〜３の何れか１項に記載の連結シート。
【請求項５】
透明な合成樹脂製の矩形状シートで構成された中間シート状部材が前記一対の矩形シート状部材の間に少なくとも一つ配設されており、該中間シート状部材において該一対の矩形シート状部材の対辺部分にはそれぞれ該矩形シート状部材の前記連結手段に対して解除可能に連結される中間連結手段が設けられている請求項１〜４の何れか１項に記載の連結シート。
【請求項６】
前記中間シート状部材の少なくとも一部によって光学レンズが構成されている請求項５に記載の連結シート。
【請求項７】
前記フレキシブル太陽電池モジュールに及ぼされる張力を緩和する引張部材を取り付けるための取付部が設けられている請求項１〜６の何れか１項に記載の連結シート。
【請求項８】
請求項１〜７の何れか１項に記載の連結シートを用いて連結された複数の前記フレキシブル太陽電池モジュールがパイプハウス骨格に装着されていることを特徴とするパイプハウス。
【請求項９】
前記フレキシブル太陽電池モジュールの展張方向に配設されることにより、該フレキシブル太陽電池モジュールに及ぼされる張力を分担支持する引張部材を設けた請求項８に記載のパイプハウス。
【請求項１０】
前記引張部材には、その引張力を調節する張力調節手段が設けられている請求項９に記載のパイプハウス。
【発明の詳細な説明】
【技術分野】
【０００１】
本発明は、フレキシブル太陽電池モジュールを連結して例えば農業用ビニールハウスの屋根材等を構成するのに用いられる連結シートに関するものであり、更に、かかる連結シートを利用してフレキシブル太陽電池モジュールで屋根材等を構成した農業用ビニールハウス等のパイプハウスに関するものである。
【背景技術】
【０００２】
従来から、圃場における環境調節等の目的で農業用ビニールハウスが用いられている。農業用ビニールハウスは、金属パイプ等で組み立てた骨格部材に対して、屋根材等の壁材としてビニール等の透明な合成樹脂シートを装着して被覆することで構成されている。
【０００３】
ところで、かかる農業用ビニールハウス等のパイプハウスでは、ハウス内の暖房や冷房、換気等の空調設備の作動の他、耕転や収穫、吸水、施肥などの各種作業用設備の作動に際して、駆動エネルギーとしての電力が必要とされることが多い。そして、近年では、環境への配慮から、これらの電力を太陽電池を用いた太陽光発電で補うことが検討されている。例えば、特開２００６−３３９６８３号公報（特許文献１）には、簡易ドーム状構造物の屋根材に太陽電池モジュールを装着することが提案されている。
【０００４】
ところが、上記特許文献１に記載された従来構造では、屋根材に対して太陽電池モジュールを縫い付けて装着する必要があった。そのために、屋根材と太陽電池モジュールに対して糸を刺し通して縫い付けるという面倒な作業が必要であった。特に、市場に提供されている太陽電池モジュールは、他部材に縫い付けられて使用されることを想定していないから、縫付用の糸を挿し通す孔を穿つことが難しく、多数の太陽電池モジュールを屋根材に縫い付けて装着することが困難を極める。しかも、農業用ビニールハウスの屋根材として用いられる農業用ポリ塩化ビニルフィルム等は１〜２年置きに張り替えられるから、その度に、古い屋根材に縫い付けられた多数の太陽電池モジュールを取り外し、新しい屋根材に対して多数の太陽電池モジュールを縫い付けなおすことが必要となる。このように、太陽電池モジュールの屋根材への装着には、多大な労力と時間を要することとなり、実用化が極めて困難であったのである。
【０００５】
加えて、農業用ビニールハウスにおいては、ハウス内で栽培される野菜等に太陽光を当てるために、採光量を確保する必要がある。ところが、特許文献１に記載の従来構造では、屋根材に縫い付けられた太陽電池モジュールが太陽光を遮ってしまい、採光量を十分に確保することが難しいという問題もあった。
【０００６】
なお、特許文献２（特開２００１−２９１８８８号公報）には、複数の太陽電池モジュールを、帯状の外装フィルム内に形成した袋状部分に対して移動可能に収容させて、かかる帯状の外装フィルムで、それら複数の太陽電池モジュールを相互に連結させて支持せしめた構造が開示されている。しかしながら、この特許文献２に記載の構造では、太陽電池モジュールを収容した外装フィルムを農業用ビニールハウスに装着するために、隣り合うハウス骨格間に跨がって係止される特別な固着具を別途に準備する必要があった。そのために、部品点数が多くなって構造が複雑となり、ビニールハウスへの装着作業も面倒であった。
【先行技術文献】
【特許文献】
【０００７】
【特許文献１】特開２００６−３３９６８３号公報
【特許文献２】特開２００１−２９１８８８号公報
【発明の概要】
【発明が解決しようとする課題】
【０００８】
本発明の解決課題とするところは、フレキシブル太陽電池モジュールをパイプハウスに適用するに際して、フレキシブル太陽電池モジュールを屋根材等として容易に装着が出来ると共に、ハウス内の採光量も効果的に確保することが出来る、新規な構造の連結シートを提供することにある。
【０００９】
また、本発明は、フレキシブル太陽電池モジュールを容易に配設することが出来ると共に、ハウス内の採光量も効果的に確保することが出来る、新規な構造のパイプハウスを提供することも、目的とする。
【課題を解決するための手段】
【００１０】
連結シートに係る本発明の第一の態様は、複数のフレキシブル太陽電池モジュールをパイプハウスに装着して用いる際に隣り合う二つの該フレキシブル太陽電池モジュールを相互に連結するための連結シートであって、透明な合成樹脂材料で形成されて隣り合う二つの前記フレキシブル太陽電池モジュールを相互に連結する際に組み合わせて用いられる一対の矩形シート状部材によって構成されており、各矩形シート状部材において、少なくとも一つの端縁部が該フレキシブル太陽電池モジュールに重ね合わせられて固着される固着縁部とされていると共に、他の少なくとも一つの端縁部には、該一対の矩形シート状部材を解除可能に連結する連結手段が設けられており、更に、該一対の矩形シート状部材の少なくとも一方には、該連結手段を該フレキシブル太陽電池モジュールの表面側から覆う保護部が設けられていることを、特徴とする。
【００１１】
第一の態様によれば、フレキシブル太陽電池モジュールをパイプハウス骨格へ装着する際に、隣り合う二つのフレキシブル太陽電池モジュールを適宜に連結することが出来る。それ故、複数のフレキシブル太陽電池モジュールを、その用途対象となる形状に対して柔軟に対応して、全体的に各種の形状を実現することが可能となり、フレキシブル太陽電池モジュールをパイプハウス骨格に対して容易に且つ効率的に装着することが可能となる。
【００１２】
また、隣り合う二つのフレキシブル太陽電池モジュールの間に配設されることとなる矩形シート状部材を通じて、ハウス内への採光を実現できる。即ち、隣り合う二つのフレキシブル太陽電池モジュールの間において、採光窓が実現され得る。その結果、パイプハウスの屋根材等の壁材やその内側や外側に必要に応じて適当な隙間を隔てて重なるようにして、複数のフレキシブル太陽電池モジュールが連結されたものを配設して採用しても、パイプハウス内の採光量が確保可能となる。
【００１３】
なお、本発明において連結対象となるフレキシブルな太陽電池モジュールは、具体的な材質等が限定されるものでなく、パイプハウス骨格に装着するのに要求される形状の自由度を有するものであれば良い。具体的には、例えばカルコパイライト系太陽電池等の化合物系や、有機薄膜太陽電池等の有機系の他、曲面設置可能な球状シリコン型太陽電池等のシリコン系も、本発明が対象とする太陽電池モジュールとなり得る。
【００１４】
連結シートに係る本発明の第二の態様は、第一の態様に記載のものにおいて、前記矩形シート状部材の少なくとも一部によって光学レンズが構成されているものである。
【００１５】
第二の態様によれば、矩形シート状部材を通りぬける太陽光を、用途等を考慮してより効率的に利用することが可能となる。例えば、光学レンズとして、プリズムや、光収束させる凸レンズ、光発散させる凹レンズ、球面レンズ等の各種レンズが適宜に採用される。例えば、プリズムを採用して、ハウス内栽培作物に有益な波長光だけを照射したり、凹レンズを使用してフレキシブル太陽電池モジュールの裏側へ太陽光を回り込ませてフレキシブル太陽電池モジュールの影による栽培作物への悪影響を軽減させること等も可能となる。
【００１６】
連結シートに係る本発明の第三の態様は、第一又は第二の態様に記載のものにおいて、各前記矩形シート状部材の互いに連結される前記端縁部において裏側延出片と表側延出片が設けられており、該裏側延出片に前記連結手段が設けられていると共に、該表側延出片に前記保護部が設けられているものである。
【００１７】
第三の態様によれば、各矩形シート状部材に保護部が設けられているので、連結手段を二重に覆うことが出来る。その結果、保護部による連結手段の保護をより確実なものとすることが可能となる。
【００１８】
連結シートに係る本発明の第四の態様は、第一〜第三の何れかの態様に記載のものにおいて、前記一対の矩形シート状部材のそれぞれにおいて、前記連結手段の設けられた前記端縁部と前記固着縁部が該一対の矩形シート状部材の対辺部分に位置しているものである。
【００１９】
第四の態様によれば、隣り合う二つのフレキシブル太陽電池モジュールが特定の方向に連結される。それ故、フレキシブル太陽電池モジュールの連結方向が判り易くなり、フレキシブル太陽電池モジュールの連結作業を効率良く行うことが出来る。
【００２０】
連結シートに係る本発明の第五の態様は、第一〜第四の何れかの態様に記載のものにおいて、透明な合成樹脂製の矩形状シートで構成された中間シート状部材が前記一対の矩形シート状部材の間に少なくとも一つ配設されており、該中間シート状部材において該一対の矩形シート状部材の対辺部分にはそれぞれ該矩形シート状部材の前記連結手段に対して解除可能に連結される中間連結手段が設けられているものである。
【００２１】
第五の態様によれば、隣り合う二つのフレキシブル太陽電池モジュールの間に更に大きな隙間を形成することが出来る。その結果、パイプハウスの採光量を十分に確保することが可能となる。
【００２２】
連結シートに係る本発明の第六の態様は、第五の態様に記載のものにおいて、前記中間シート状部材の少なくとも一部によって光学レンズが構成されているものである。
【００２３】
第六の態様によれば、中間シート状部材を通りぬける太陽光のハウス内への照射態様を、前述の矩形シート状部材を通り抜ける太陽光と同様に、光学レンズで調節設定してより効率的に利用することが可能となる。
【００２４】
連結シートに係る本発明の第七の態様は、第一〜六の態様に記載のものにおいて、前記フレキシブル太陽電池モジュールに及ぼされる張力を緩和する引張部材を取り付けるための取付部が設けられているものである。
【００２５】
なお、かかる取付部は、フレキシブル太陽電池モジュールを挟んだ両側に位置する異なる連結シートに形成されていても良いし、フレキシブル太陽電池モジュールの長さ方向に延びる一つの連結シートの複数箇所に形成されていても良い。要するに、異なる位置に形成された取付部間に跨がって引張部材を配することで、フレキシブル太陽電池モジュールに及ぼされる張力を軽減又は解消し得る態様であれば良い。
【００２６】
パイプハウスに係る本発明の第一の態様は、連結シートに係る本発明の第一〜第七の態様の何れかに記載の連結シートを用いて連結された複数の前記フレキシブル太陽電池モジュールがパイプハウス骨格に装着されていることを、特徴とする。
【００２７】
本態様によれば、フレキシブル太陽電池モジュールそのものがパイプハウス骨格に装着されるから、フレキシブル太陽電池モジュールの装着作業が容易になる。また、連結シートを通じてのパイプハウス内への採光量を設定し、適当に調節することも可能となる。
【００２８】
なお、本発明において太陽電池モジュールが装着されるパイプハウス骨格としては、例えば従来構造のビニールハウスにおいて外壁（周壁や屋根材等）を構成する樹脂フィルムを支持するパイプハウス骨格をそのまま利用して、このパイプハウス骨格に装着することにより樹脂フィルムに代えてフレキシブル太陽電池モジュールを採用することにより、かかる太陽電池モジュールによってパイプハウスの外壁を構成することも可能である。或いは、そのような従来構造のビニールハウスにおいてパイプハウス骨格で支持されて外壁を構成する樹脂フィルムをそのままにして、当該外壁の内側（又は外側）に別のパイプハウス骨格を構築せしめ、このパイプハウス骨格に対して、本発明に係るパイプハウス用取付部材を用いて、太陽電池モジュールを支持せしめて装着することも可能である。なお、このように従来構造のビニールハウス等の外壁を残したままで、当該外壁の内側（又は外側）に太陽電池モジュールを装着する場合には、太陽電池モジュールに対して防水性等の外壁機能が必ずしも要求されないことから、太陽電池モジュールの配設形態の自由度を大きく確保できると共に、要求される取付支持強度が低くされてパイプハウス用取付部材の装着数の減少や取付構造の簡略化等も可能となる。
【００２９】
パイプハウスに係る本発明の第二の態様は、第一の態様に記載のものにおいて、前記フレキシブル太陽電池モジュールの展張方向に配設されることにより、該フレキシブル太陽電池モジュールに及ぼされる張力を分担支持する引張部材を設けたものである。
【００３０】
第二の態様のパイプハウスによれば、フレキシブル太陽電池モジュールに及ぼされる張力を軽減又は解消して、フレキシブル太陽電池モジュールをパイプハウスの屋根材として使用するに際しての、引張力作用に起因する耐久性低下や損傷を回避することが可能となる。
【００３１】
なお、上記引張部材は、例えば、パイプハウス骨格に対して直接に連結されて複数のパイプハウス骨格間に跨がって配設されていても良いが、前述の如きフレキシブル太陽電池モジュールの連結シートに対して、引張部材の端部が取り付けられる取付部を設けることにより、かかる連結シートを利用して引張部材を装着するようにしても良い。
【００３２】
また、上述の引張部材には、その引張力を調節する張力調節手段が設けられることが望ましい。これにより、フレキシブル太陽電池モジュールに及ぼされる張力を、例えば温度等の環境に対応して必要な時期に適宜に調節することが可能となる。
【００３３】
なお、かかる引張部材は、例えば、その長さ方向において複数の分割引張部材に分割可能とされていると共に、これらの複数の分割引張部材の連結部分において長さの調節機構を備えることにより、上記張力調節手段が構成され得る。或いは、それらの分割引張部材の連結部分において長さ方向に弾性変形可能な弾性連結部材を介在させることにより、引張力を弾性的に調節するようにしても良い。
【発明の効果】
【００３４】
連結シートに関する本発明においては、複数のフレキシブル太陽電池モジュールを、適宜に、大きな自由度をもって、相互に連結することが可能となる。また、隣り合う二つのフレキシブル太陽電池モジュールの間に、本発明の連結シートが配設されることで、それら二つのフレキシブル太陽電池モジュール間において、連結シートを通じての太陽光のパイプハウス内への入射採光を確保することが出来る。
【００３５】
パイプハウスに関する本発明においては、フレキシブル太陽電池モジュールをそれ自体に大幅な改造を加えることなく良好な作業性をもって且つ強固に固定支持せしめることが可能となることから、太陽電池モジュールを屋根材等として利用することも出来て、太陽電池を利用したパイプハウスが効率的に実現可能となる。
【図面の簡単な説明】
【００３６】
【図１】パイプハウスに係る本発明の第一の実施形態としてのパイプハウスを示す斜視図。
【図２】連結シートに係る本発明の第一の実施形態としての連結シートを説明するための平面図。
【図３】図２に示す連結シートの側面図。
【図４】図１に示したパイプハウスにおいて屋根材をパイプハウス骨格に装着するためのパイプハウス用取付部材を示す平面図。
【図５】図４に示したパイプハウス用取付部材の側面図。
【図６】フレキシブル太陽電池モジュールがパイプハウス用取付部材によってパイプハウス骨格に装着されている状態を説明するための断面図。
【図７】複数のフレキシブル太陽電池モジュールを連結する際に採用可能な連結方法を説明するための平面図。
【図８】連結シートに係る本発明の第二の実施形態としての連結シートを説明するための平面図。
【図９】図８に示す連結シートの側面図。
【図１０】図８に示した連結シートの要部を拡大して示す断面図。
【図１１】連結シートに係る本発明の第三の実施形態としての連結シートを説明するための平面図。
【図１２】図１１に示す連結シートの側面図。
【図１３】連結シートに係る本発明の第四の実施形態としての連結シートを説明するための側面図。
【図１４】連結シートに係る本発明の第五の実施形態としての連結シートを説明するための平面図。
【図１５】パイプハウスに係る本発明の第二の実施形態としてのパイプハウスにおける要部を示す断面説明図。
【図１６】紐状部材の要部を拡大して示す平面図。
【図１７】本実施形態のパイプハウスで採用可能な長さ調節手段の他の態様を示す拡大平面図。
【図１８】本実施形態のパイプハウスで採用可能な長さ調節手段の更に別の態様を示す拡大平面図。
【発明を実施するための形態】
【００３７】
以下、本発明を更に具体的に明らかにするために、本発明の実施形態について、図面を参照しつつ、詳細に説明する。
【００３８】
図１には、パイプハウスに係る本発明の第一の実施形態としてのパイプハウス１０が示されている。パイプハウス１０は、複数のフレキシブル太陽電池モジュール１２が、連結シートに係る本発明の第一の実施形態としての連結シート１４によって連結された状態で、パイプハウス骨格１６に装着された構造とされている。
【００３９】
より詳細には、複数のフレキシブル太陽電池モジュール１２は、それぞれ、従来から公知のものであって、図２及び図３に示されているように、直並列接続された複数枚の太陽電池セル１８の表裏両面に保護フィルム２０ａ，２０ｂが接着された構造とされており、全体として帯形状を呈している。
【００４０】
保護フィルム２０ａ，２０ｂとしては、フッ化エチレン−エチレン共重合体，フッ化ビニリデン樹脂，３フッ化塩化エチレン樹脂，アクリル樹脂，３フッ化塩化エチレン樹脂コートアクリル樹脂，ポリエステル樹脂等からなるものが採用されている。なお、裏側の保護フィルム２０ｂとしては、これらの樹脂材料の他、アルミ箔ラミネート１フッ素化ビニル樹脂やアルミ箔ラミネートポリエステル樹脂、防水の為の金属箔又は金属板を貼り付けたガラス繊維布やポリエステル不織布等からなるものも採用可能である。
【００４１】
このようなフレキシブル太陽電池モジュール１２を連結する連結シート１４は、一対の矩形シート状部材２２ａ，２２ｂによって構成されている。一対の矩形シート状部材２２ａ，２２ｂは、それぞれ、裏側の保護フィルム２０ｂと同様に、耐候性に優れた合成樹脂材料で形成されており、幅方向（図２の左右方向）一方の端縁部がフレキシブル太陽電池モジュール１２の裏面（裏側の保護フィルム２０ｂ）に重ね合わされて接着される固着縁部２４ａ，２４ｂとされている。
【００４２】
矩形シート状部材２２ａ，２２ｂとフレキシブル太陽電池モジュール１２の接着には、使用環境の他、矩形シート状部材２２ａ，２２ｂや裏側の保護フィルム２０ｂとの接着性等を考慮して、適当な接着剤が用いられる。例えば、矩形シート状部材２２ａ，２２ｂと裏側の保護フィルム２０ｂの何れもが、例示の如き樹脂材料からなる場合には、エチレン酢酸ビニル共重合体（ＥＶＡ），エポキシ樹脂，ウレタン樹脂，シリコン樹脂，アクリル樹脂，フッ素樹脂，ポリイソブチレン，テトラフルオロエチレン−ヘキサフルオロプロビレン−ビニリデンフロライド共重合体（ＴＨＶ）等からなる接着剤が採用可能である。高耐候性及び低コストの観点からは、ＥＶＡからなる接着剤が望ましい。ＴＨＶ以外の樹脂材料からなる接着剤には、紫外線吸収剤や酸化防止剤，架橋剤，カップリング剤を配合する必要があるので、作業性の観点からはＴＨＶからなる接着剤が望ましい。
【００４３】
裏側の保護フィルム２０ｂと矩形シート状部材２２ａ，２２ｂの接着面には、使用する接着剤との接着性を向上させるために、親水化表面処理を施すことが望ましい。親水化表面処理の方法としては、コロナ放電処理，プラズマ放電処理，アルカリ処理，紫外線照射処理等がある。
【００４４】
また、各矩形シート状部材２２ａ，２２ｂにおいて固着縁部２４ａ，２４ｂとは幅方向で反対側に位置する端縁部（以下、連結側縁部２６ａ，２６ｂと称する）には、裏側延出片２８と表側延出片３０が設けられている。裏側延出片２８は、連結手段としての防水性スライドファスナー３２を構成する防水ファスナー部材３４ａ，３４ｂによって構成されている。
【００４５】
防水ファスナー部材３４ａ，３４ｂは、従来から公知のものを用いることもできる。例えば、織成又は編成した帯状芯材にエラストマー樹脂等にて防水層を形成した防水性ファスナーテープ３６ａ，３６ｂの片側縁部の表裏両面に複数の合成樹脂製ファスナーエレメント３８ａ，３８ｂを射出成形したもの等が採用可能である。
【００４６】
このような防水ファスナー部材３４ａ，３４ｂは、各矩形シート状部材２２ａ，２２ｂにおいて連結側縁部２６ａ，２６ｂの裏面に重ね合わされて固着されている。防水ファスナー部材３４ａ，３４ｂにおいてファスナーエレメント３８ａ，３８ｂが並ぶ端縁部は、矩形シート状部材２２ａ，２２ｂへの固着位置よりも幅方向外方へ位置している。なお、防水ファスナー部材３４ａ，３４ｂと矩形シート状部材２２ａ，２２ｂの固着には、耐候性等を考慮して選択された接着剤を用いても良いし、水密性リベットやシールワッシャ付リベット，プリコーティング剤付リべット，水密性ビス，Ｏリング付防水ビス，プリコーティング剤付タッピングビス等の従来から公知の水密性締結部材を用いても良い。或いは、防水ファスナー部材３４ａ，３４ｂを矩形シート状部材２２ａ，２２ｂと一体形成することで、防水ファスナー部材３４ａ，３４ｂを矩形シート状部材２２ａ，２２ｂに固着しても良い。
【００４７】
一方、表側延出片２８は、各矩形シート状部材２２ａ，２２ｂにおいて連結側縁部２６ａ，２６ｂと一体形成されており、連結側端縁部２６ａ，２６ｂから幅方向外方へ延び出している。そして、表側延出片２８の延出端縁部によって、保護部４０ａ，４０ｂが形成されている。
【００４８】
上述の如き一対の矩形シート状部材２２ａ，２２ｂは、防水ファスナー部材３４ａ，３４ｂにおいてファスナーエレメント３８ａ，３８ｂが並ぶ端縁部を突き合わせた状態で、一方の防水ファスナー部材３４ａ，３４ｂに組み付けられたスライダー４２を移動させることにより、一方の防水ファスナー部材３４ａと他方の防水ファスナー３４ｂのそれぞれに設けられたファスナーエレメント３８ａ，３８ｂが噛み合うようになっている。これにより、一方の防水ファスナー部材３４ａと他方の防水ファスナー部材３４ｂ、延いては、一対の矩形シート状部材２２ａ，２２ｂが相互に連結される。その結果、隣り合う二つのフレキシブル太陽電池モジュール１２，１２が連結される。
【００４９】
また、防水ファスナー部材３４ａ，３４ｂが相互に連結された状態（防水性スライドファスナー３２が閉じられた状態）で、防水性スライドファスナー３２よりもフレキシブル太陽電池モジュール１２の表面側において、一方の矩形シート状部材２２ａに設けられた保護部４０ａと他方の矩形シート状部材２２ｂに設けられた保護部４０ｂが重ね合わされている。そして、互いに重ね合わされた保護部４０ａ，４０ｂ同士が水密性リベット４４で相互に連結されることにより、防水性スライドファスナー３２がフレキシブル太陽電池モジュール１２の表面側から保護部４０ａ，４０ｂによって保護されている。水密性リベット４４としては、従来から公知のものが採用される。水密性リベット４４に代えて、シールワッシャ付リベット等の従来から公知の水密性締結部材を用いても良い。
【００５０】
また、フレキシブル太陽電池モジュール１２が装着されるパイプハウス骨格１６は、従来から公知のものであり、所定の間隔で並ぶ複数の門型骨格部材４６ａを、これら複数の門型骨格部材４６ａが並ぶ方向に延びる連結用骨格部材４６ｂで連結した構造とされている。
【００５１】
続いて、上述の如き連結シート１４を用いてフレキシブル太陽電池モジュール１２を連結する方法について説明する。先ず、矩形シート状部材２２ａ，２２ｂが裏面に接着されたフレキシブル太陽電池モジュール１２をパイプハウス骨格１６に装着する。
【００５２】
フレキシブル太陽電池モジュール１２のパイプハウス骨格１６への装着態様としては、様々な態様が考えられる。例えば、一枚のフレキシブル太陽電池モジュール１２を一つの門型骨格部材４２ａに沿って上側から重ね合わせるように装着する態様や、一枚のフレキシブル太陽電池モジュール１２をパイプハウス骨格１６の奥行方向で幾つかの門型骨格部材４６ａに掛け渡すように上側から重ね合わせて装着する態様等が考えられる。何れの装着態様においても、フレキシブル太陽電池モジュール１２は、その裏面に固着されたパイプハウス用取付部材４８によって、パイプハウス骨格１６に装着される。
【００５３】
パイプハウス用取付部材４８は、図４及び図５に示されているように、台座シート５０を備えている。台座シート５０は、フッ化エチレン−エチレン共重合体，フッ化ビニリデン樹脂，３フッ化塩化エチレン樹脂，アクリル樹脂，３フッ化塩化エチレン樹脂コートアクリル樹脂，ポリエステル樹脂等の合成樹脂材料で形成されており、全体として矩形平板形状を呈している。
【００５４】
台座シート５０には、一対の取付片５２，５２が設けられている。これら一対の取付片５２，５２は、それぞれ、台座シート５０の厚さ方向一方の面（ハウス内面５４）から略垂直に突出して形成されており、略一定の矩形断面形状でもって台座シート５０の幅方向（図４の左右方向）の略全長に亘って延びる縦壁形状を呈している。即ち、一対の取付片５２，５２は、台座シート５０の幅方向へ互いに平行に延びており、その対向面間距離が台座シート５０の幅方向の全長に亘って略一定とされている。これにより、パイプハウス用取付部材４８には、一対の取付片５２，５２の対向面間において、台座シート５０の幅方向に略一定の断面形状で延びる収容溝５６が形成されている。また、各取付片５２は、台座シート５０と同じ合成樹脂材料でもって台座シート５０に一体形成されていると共に、壁厚方向での湾曲変形が可能とされている。
【００５５】
各取付片５２の突出先端部分には、スライドファスナー５８を構成するファスナーエレメント５９が取付片５２の突出先端縁部に沿って並んだ状態で取り付けられている。また、一方の取付片５２には、一対の取付片５２，５２のそれぞれに設けられたファスナーエレメント５９，５９同士を噛合離脱させるためのスライダー６０が組み付けられている。ファスナーエレメント５８やスライダー６０は、何れも、従来から公知のものであるから、詳細な説明は省略する。
【００５６】
上述の如き構造とされたパイプハウス用取付部材４８は、図２及び図３に示されているように、台座シート５０の厚さ方向他方の面（固着面６１）がフレキシブル太陽電池モジュール１２の裏面に重ね合わされて接着される。パイプハウス用取付部材４８と裏側の保護フィルム２０ｂの接着には、矩形シート状部材２２ａ，２２ｂとフレキシブル太陽電池モジュール１２を接着する際に用いた接着剤と同様な接着剤が使用される。
【００５７】
なお、パイプハウス用取付部材４８のフレキシブル太陽電池モジュール１２に対する接着位置や接着方向，接着個数等は、フレキシブル太陽電池モジュール１２の大きさやフレキシブル太陽電池モジュール１２のパイプハウス骨格１６への装着位置，装着方向等を考慮して設定される。
【００５８】
パイプハウス用取付部材４８が裏面に接着されたフレキシブル太陽電池モジュール１２は、前述した何れの装着態様においても、図６に示すように、パイプハウス骨格１６の骨格部材４６（門型骨格部材４６ａ及び連結用骨格部材４６ｂ）が一対の取付片５２，５２の対向面間に嵌め入れられて収容溝２０内に位置する状態で、骨格部材４６に組み付けられる。そして、一対の取付片５２，５２のそれぞれに設けられたファスナーエレメント５９，５９がスライダー６０の移動に伴って噛み合うことにより、一対の取付片５２，５２が相互に連結されて、骨格部材４６が一対の取付片５２，５２の対向面間から抜け出さないようになる。これにより、フレキシブル太陽電池モジュール１２が、パイプハウス骨格１６の骨格部材４６に装着される。
【００５９】
そして、隣り合う二つのフレキシブル太陽電池モジュール１２，１２が連結シート１４で連結されることにより、複数のフレキシブル太陽電池モジュール１２が、連結シート１４によって連結された状態で、パイプハウス骨格１６に装着される。
【００６０】
ところで、パイプハウス骨格１６の大きさ等によっては、図２及び図３に示したように、複数のフレキシブル太陽電池モジュール１２を短辺方向で連結するだけでは寸法が足りない場合がある。例えば、図１に示したパイプハウス１０を構成するパイプハウス骨格１６においては、複数のフレキシブル太陽電池モジュール１２が短辺方向（図２の左右方向）で連結されたものを、パイプハウス１０（パイプハウス骨格１６）の奥行方向に５つ並べる必要がある。この場合、複数のフレキシブル太陽電池モジュール１２を長辺方向（図２の上下方向）でも連結する必要がある。複数のフレキシブル太陽電池モジュール１２を長手方向で連結する方法としては、例えば、図７に示すように、連結シート１４を構成する各矩形シート状部材２２ａ，２２ｂの固着縁部２４ａ，２４ｂを、複数のフレキシブル太陽電池モジュール１２に跨る状態で、これら複数のフレキシブル太陽電池モジュール１２のそれぞれの表面に重ね合わせて固着する方法等が採用される。
【００６１】
パイプハウス骨格１６に装着された複数のフレキシブル太陽電池モジュール１２のうちパイプハウス１０の奥行方向や幅方向の端に位置するフレキシブル太陽電池モジュール１２においてパイプハウス１０の奥行方向や幅方向で外方に位置する端縁部には、矩形シート状部材２２ａ，２２ｂと同様な透明の合成樹脂材料で形成されたシート材６２が固着されている。これにより、パイプハウス骨格１６の全体が、連結シート１４で連結された複数のフレキシブル太陽電池モジュール１２及びこれらに連結されているシート材６２で構成された屋根材６３で覆われる。
【００６２】
パイプハウス１０の側壁面、例えば、奥側の壁面や手前側の壁面、幅方向両側の壁面にフレキシブル太陽電池モジュール１２が用いられている必要はないが、パイプハウス１０の設置場所等によっては、パイプハウス１０に西日が当たることがある。そのような場合には、パイプハウス１０の側壁面にフレキシブル太陽電池モジュール１２が用いられていても良い。
【００６３】
フレキシブル太陽電池モジュール１２の盗難防止のために、盗難防止機構を設けても良い。例えば、閉じられた状態のスライドファスナー５８を覆う導電部材を配設し、この導電部材がスライドファスナー５８を覆った状態で、導電部材が通電状態となるようにすると共に、導電部材を外さなければ、スライドファスナー５８を開けることが出来ないようにする。そして、導電部材を外した場合に、パイプハウス骨格１６に取り付けられたスピーカから警報音が発せられたり、警報ランプ等の照明装置が点灯又は点滅等するようにする。警報音の発生や照明装置の点灯等に代えて、或いは、警報音の発生や照明装置の点灯等に加えて、パイプハウス１０の所有者が有するパソコンや携帯電話機へ電子メールを送信して、パイプハウス１０の所有者に直接知らせるようにしても良い。盗難防止機構の作動に必要な電力は、外部給電の他、フレキシブル太陽電池モジュール１２が発電した電力を用いることで賄うことが出来る。
【００６４】
なお、警報を作動させるセンサは、上述の記載に限定されるものでない。例えば、スライドファスナー５８で開閉される両側縁部間に跨がる通電路を形成し、この通電路がスライドファスナー５８の開操作で遮断されることで警報が発令されるようにしても良い。また、スライドファスナー５８に代えて又は加えて、スライドファスナー３２に対して、同様に、その開操作に伴って警報が発せられる構成を採用することも可能である。更にまた、スライドファスナー５８や３２とは関係なく、フレキシブル太陽電池モジュール１２及び／又は連結シート１４に対して適当なパターンで通電路を形成し、この通電路の一部が遮断されることで警報が発令されるようにすることも可能であり、このようにフレキシブル太陽電池モジュール１２自体や連結シート１４自体に通電路を形成してセンサ機能を装備させれば、フレキシブル太陽電池モジュール１２や連結シート１４をカッター等で切断しての盗難等にも対応することが可能となる。
【００６５】
上述の如きパイプハウス１０においては、隣り合う二つのフレキシブル太陽電池モジュール１２，１２を相互に連結する連結シート１４が一対の矩形シート状部材２２ａ，２２ｂで構成されている。それ故、予め矩形シート状部材２２ａ，２２ｂが固着されたフレキシブル太陽電池モジュール１２をパイプハウス骨格１６の骨格部材４６に取り付けた状態で、隣り合う二つのフレキシブル太陽電池モジュール１２，１２を相互に連結することが出来る。これにより、フレキシブル太陽電池モジュール１２を単体で骨格部材４６に取り付けることが可能となる。その結果、予め連結された複数のフレキシブル太陽電池モジュール１２をパイプハウス骨格１６に装着する場合に比して、フレキシブル太陽電池モジュールの装着作業時にフレキシブル太陽電池モジュール１２が風で煽られて地面に落下等して損傷する不具合を回避することが出来る。従って、複数のフレキシブル太陽電池モジュール１２を屋根材６３としてパイプハウス骨格１６に装着することが容易になる。
【００６６】
また、各矩形シート状部材２２ａ，２２ｂが透明とされているから、隣り合う二つのフレキシブル太陽電池モジュール１２の間に太陽光が透過する大きな隙間が形成される。これにより、パイプハウスの採光量を大きく確保することが出来る。その結果、パイプハウス内で栽培する野菜等の植物の光合成に必要な光量を確保することが可能となる。
【００６７】
続いて、本発明の第二の実施形態としての連結シート６４について、図８〜１０に基づいて、説明する。なお、以下に記載の第二の実施形態や後述する第三及び第四の実施形態において、第一の実施形態と同様な構造とされた部材及び部位については、図中に、第一の実施形態と同一の符号を付すことにより、それらの詳細な説明を省略する。
【００６８】
本実施形態の連結シート６４は、第一の実施形態の連結シート（１４）に比して、一対の矩形シート状部材２２ａ，２２ｂのそれぞれの裏面側であって、且つ、一対の取付片１８，１８の間に形成された収容溝２０よりも溝幅方向外方において、複数の光学レンズ６６が矩形シート状部材２２ａ，２２ｂの長手方向（図８の上下方向）に一列に並んで形成されている。光学レンズ６６は、表面屈折を利用したレンズであり、例えば、球面レンズや非球面レンズ，シリンドリカルレンズ，フレンネルレンズである。本実施形態の光学レンズ６６は平凹レンズであり、矩形シート状部材２２ａ，２２ｂの長手方向（図８の上下方向）に適当な間隔で複数形成されている。光学レンズ６６は、各矩形シート状部材２２ａ，２２ｂの裏面だけに形成されている必要はなく、各矩形シート状部材２２ａ，２２ｂの表面側だけに形成されていても良いし、各矩形シート状部材２２ａ，２２ｂの表裏両面に形成されていても良い。なお、矩形シート状部材２２ａ，２２ｂに光学レンズ６６を形成する方法としては、例えば、矩形シート状部材２２ａ，２２ｂの裏面に対して、凹レンズの逆型を押圧することにより、矩形シート状部材２２ａ，２２ｂの裏面にレンズ形状を付与する方法等が採用される。光学レンズ６６の形成に際しては、光学レンズ６６を形成することによる矩形シート状部材２２ａ，２２ｂの強度の低下等を考慮して、光学レンズ６６の形状や大きさ等が設定される。
【００６９】
このような連結シート６４においては、矩形シート状部材２２ａ，２２ｂを透過する太陽光が光学レンズ６６に入射して反射光となり、フレキシブル太陽電池モジュール１２の方へ回り込む。これにより、太陽光そのものが入射する場合に生じるフレキシブル太陽電池モジュール１２の影と矩形シート状部材２２ａ，２２ｂを透過した太陽光が照らす明るい部分からなる縞模様が生じるのを回避することが出来る。その結果、パイプハウス１０内を均等に明るくすることが可能となる。
【００７０】
なお、光学レンズ６６としては、凸レンズを採用することも出来る。凸レンズの場合、凸レンズを透過した太陽光は、フレキシブル太陽電池モジュール１２に近い位置で一端集光するが、その後は発散光となるので、凹レンズの場合と同様な効果を得ることが出来る。
【００７１】
続いて、本発明の第三の実施形態としての連結シート６８について、図１０〜１２に基づいて、説明する。本実施形態の連結シート６８は、第一の実施形態の連結シート（１４）に比して、一対の矩形シート状部材２２ａ，２２ｂの間に中間シート状部材７０が配設されている。
【００７２】
中間シート状部材７０は、裏側の保護フィルム２０ｂと同様な透明の合成樹脂材料で形成されており、全体として矩形形状を呈している。中間シート状部材７０の幅方向両側の端縁部には、それぞれ、裏側延出片７２ａ，７２ｂと表側延出片７４ａ，７４ｂが設けられている。
【００７３】
裏側延出片７２ａ，７２ｂは、矩形シート状部材２２ａ，２２ｂに設けられた防水ファスナー部材３４ａ，３４ｂと協働して防水性スライドファスナー３２ａ，３２ｂを構成する防水ファスナー部材７６ａ，７６ｂによって構成されている。
【００７４】
防水ファスナー部材７６ａ，７６ｂは、従来から公知であるから、その詳細な説明は省略するが、簡単に説明すると、織成又は編成した帯状芯材にエラストマー樹脂等にて防水層を形成した防水性ファスナーテープ７８ａ，７８ｂの片側縁部の表裏両面に複数の合成樹脂製ファスナーエレメント８０ａ，８０ｂを射出成形したものである。
【００７５】
このような防水ファスナー部材７６ａ，７６ｂは、それぞれ、中間シート状部材７０の幅方向両側の端縁部の裏面に重ね合わされて固着されている。防水ファスナー部材７６ａ，７６ｂにおいてファスナーエレメント８０ａ，８０ｂが並んで形成された端縁部は、中間シート状部材７０への固着位置よりも幅方向外方に位置している。なお、防水ファスナー部材７６ａ，７６ｂと中間シート状部材７０の固着には、耐候性等を考慮して選択された接着剤を用いても良いし、水密性リベット等の従来から公知の水密性締結部材を用いても良い。或いは、防水ファスナー部材７６ａ，７６ｂを中間シート状部材７０と一体形成することで、防水ファスナー部材７６ａ，７６ｂを中間シート状部材７０に固着しても良い。
【００７６】
一方、表側延出片７４ａ，７４ｂは、中間シート状部材７０の幅方向端縁部と一体形成されており、この端縁部から幅方向外方へ延び出している。そして、表側延出片７４ａ，７４ｂの延出端縁部によって、保護部８２ａ，８２ｂが形成されている。
【００７７】
上述の如き中間シート状部材７０は、防水ファスナー部材７６ａ，３４ａにおいてファスナーエレメント８０ａ，３８ａが並んで形成された端縁部を突き合わせた状態で、一方の防水ファスナー部材８２ａに組み付けられたスライダー９０ａを移動させることにより、防水ファスナー部材７６ａ，３４ａに設けられたファスナーエレメント８０ａ，３８ａが噛み合うようになっている。これにより、矩形シート状部材２２ａと中間シート状部材７０が相互に連結される。
【００７８】
また、防水ファスナー部材７６ｂ，３４ｂにおいてファスナーエレメント８０ｂ，３８ｂが並んで形成された端縁部を突き合わせた状態で、一方の防水ファスナー部材１０６ｂに組み付けられたスライダー９０ｂを移動させることにより、防水ファスナー部材７６ｂ，３４ｂに設けられたファスナーエレメント８０ｂ，３８ｂが噛み合うようになっている。これにより、矩形シート状部材２２ｂと中間シート状部材７０が相互に連結される。
【００７９】
そして、上述の如く一対の矩形シート状部材２２ａ，２２ｂと中間シート状部材７０が連結されることで、連結シート６８が形成されるようになっており、この連結シート６８によって、隣り合う二つのフレキシブル太陽電池モジュール１２，１２が相互に連結される。
【００８０】
また、防水ファスナー部材７６ａ，３４ａが相互に連結された状態（防水性スライドファスナー３２ａが閉じられた状態）で、防水性スライドファスナー３２ａよりもフレキシブル太陽電池モジュール３０の表面側において、一方の矩形シート状部材２２ａに設けられた保護部４０ａと中間シート状部材７０に設けられた保護部８２ａが重ね合わされている。そして、互いに重ね合わされた保護部４０ａ，８２ａ同士が水密性リベット４４ａで相互に連結されることにより、防水性スライドファスナー３２ａがフレキシブル太陽電池モジュール１２の表面側から保護部４０ａ，８２ａによって保護されている。
【００８１】
また、防水ファスナー部材７６ｂ，３４ｂが相互に連結された状態（防水性スライドファスナー３２ｂが閉じられた状態）で、防水性スライドファスナー３２ｂよりもフレキシブル太陽電池モジュール１２の表面側において、一方の矩形シート状部材２２ｂに設けられた保護部４０ｂと中間シート状部材７０に設けられた保護部８２ｂが重ね合わされている。そして、互いに重ね合わされた保護部４０ｂ，８２ｂ同士が水密性リベット４４ｂで相互に連結されることにより、防水性スライドファスナー３２ｂがフレキシブル太陽電池モジュール１２の表面側から保護部４０ｂ，８２ｂによって保護されている。
【００８２】
なお、水密性リベット４４ａ，４４ｂとしては、従来から公知のものが採用される。また、水密性リベット４４ａ，４４ｂに代えて、シールワッシャ付リベット等の従来から公知の水密性締結部材を用いても良い。
【００８３】
また、中間シート状部材７０の裏面には、複数の光学レンズ６６が中間シート状部材７０の長手方向（図１０の上下方向）に一列に並んで形成されている。なお、光学レンズ６６は、第二の実施形態で採用されていたものを同様なものであるから、第二の実施形態と同一の符号を付すことにより、その詳細な説明は省略する。
【００８４】
このような連結シート６８においては、一対の矩形シート状部材２２ａ，２２ｂの間に中間シート状部材７０が配設されているから、隣り合う二つのフレキシブル太陽電池モジュール１２，１２を十分に離した状態で連結することが出来る。それ故、パイプハウスの採光量を大きく確保することが可能となる。
【００８５】
矩形シート状部材２２ａと中間シート状部材７０が防水性スライドファスナー３２ａで連結されていると共に、矩形シート状部材２２ｂと中間シート状部材７０が防水性スライドファスナー３２ｂで連結されているから、パイプハウス内への雨水等の侵入を効果的に防止することが出来る。
【００８６】
また、防水性スライドファスナー３２ａの外側が保護部４０ａ，８２ａで覆われていると共に、防水性スライドファスナー３２ｂの外側が保護部４０ｂ，２ｂで覆われている。これにより、パイプハウス内への雨水等の侵入をより効果的に防止することが出来る。
【００８７】
また、中間シート状部材７０を透過する太陽光が光学レンズ６６に入射して反射光となり、フレキシブル太陽電池モジュール１２の方へ回り込む。これにより、太陽光そのものが入射する場合に生じるフレキシブル太陽電池モジュール１２の影と矩形シート状部材２２ａ，２２ｂを透過した太陽光が照らす明るい部分からなる縞模様が生じるのを回避することが出来る。その結果、パイプハウス１０内を均等に明るくすることが可能となる。
【００８８】
なお、本実施形態では、一つの中間シート状部材７０が一対の矩形シート状部材２２ａ，２２ｂの間に配設されていたが、複数の中間シート状部材７０が一対の矩形シート状部材２２ａ，２２ｂの間に配設されていても良い。
【００８９】
続いて、本発明の第四の実施形態としての連結シート８４について、図１３に基づいて、説明する。本実施形態の連結シート８４は、第一の実施形態の連結シート（１４）に比して、一方の矩形シート状部材２２ａだけに保護部４０ａが設けられている。保護部４０ａは、他方の矩形シート状部材２２ｂの表面に重ね合わされて水密性リベット４４で固着される。
【００９０】
このような連結シート８４においては、保護部４０ａが二重構造とされていないので、連結シート８４全体の厚さ寸法を小さく抑えることが出来る。その結果、保護部４０ａの形成位置で連結シート１４が外側へ膨らむ歪な形状になり難くなり、連結シート１４、延いては、パイプハウス１０の外観を良くすることが可能となる。
【００９１】
続いて、本発明の第五の実施形態としての連結シート８６について、図１４に基づいて、説明する。本実施形態の連結シート８６は、第一の実施形態の連結シート（１４）に比して、各矩形シート状部材２２ａ，２２ｂの裏面に一対の取付片５２，５２が突設されている。
【００９２】
このような連結シート８６においては、フレキシブル太陽電池モジュール１２をパイプハウス骨格１６の骨格部材４６に取り付けるための一対の取付片５２，５２が各矩形シート状部材２２ａ，２２ｂに突設されているから、パイプハウス用取付部材４８をフレキシブル太陽電池モジュール１２に別途固着する必要がなくなる。これにより、フレキシブル太陽電池モジュール１２のパイプハウス骨格１６への装着作業が容易になる。
【００９３】
続いて、本発明の第二の実施形態としてのパイプハウスについて、図１５に基づいて、説明する。本実施形態のパイプハウスにおいては、第一の実施形態のパイプハウス（１０）に比して、パイプハウス骨格１６において奥行方向で隣りに位置する二つの門型骨格部材４６ａ，４６ａのそれぞれに取り付けられたパイプハウス用取付部材４８，４８が引張部材としての紐状部材８８で相互に連結されている。
【００９４】
より詳細には、紐状部材８８は、図１６に示されているように、分割引張部材としての二つの分割紐状体９０，９０が連結部材９２で連結された構造とされている。
【００９５】
各分割紐状体９０はピアノ線やワイヤ，ロープ等で形成されており、一端側に連結軸９４が設けられていると共に、他端側に係止フック９６が設けられている。連結軸９４には、分割紐状体９０との連結側とは反対側の軸方向端面に開口する連結穴９７が形成されており、連結穴９７の内周面にはねじ溝が形成されている。
【００９６】
一方、連結部材９２は、軸方向にストレートに延びるロッド形状を呈しており、軸方向両端部のそれぞれの外周面には、連結軸９４における連結穴９７の内周面に形成されたねじ溝と対応するねじ山が形成されている。
【００９７】
このような連結部材９２の軸方向一端部が一方の分割紐状体９０に設けられた連結軸９４の連結穴９７に螺入されると共に、軸方向他端部が他方の分割紐状体９０に設けられた連結軸９４の連結穴９７に螺入されることにより、二つの分割紐状体９０，９０が連結部材９２で連結された紐状部材８８が形成される。
【００９８】
そして、紐状部材８８は、一方の分割紐状体９０に設けられた係止フック９６が一方の門型骨格部材４６ａに取り付けられたパイプハウス用取付部材４８を構成する取付片５２の外側面に突設された取付部としての係止片９８の係止孔９９に係止されると共に、他方の分割紐状体９０に設けられた係止フック９６が他方の門型骨格部材４６ａに取り付けられたパイプハウス用取付部材４８を構成する取付片５２の外側面に突設された取付部としての係止片９８の係止孔９９に係止される。これにより、パイプハウス骨格１６の奥行方向で隣りに位置する二つの門型骨格部材４６ａ，４６ａのそれぞれに取り付けられたパイプハウス用取付部材４８，４８同士が紐状部材８８で相互に連結される。
【００９９】
このようなパイプハウスにおいては、紐状部材８８で連結されたパイプハウス用取付部材４８，４８の離隔距離、延いては、これらのパイプハウス用取付部材４８，４８が固着されたフレキシブル太陽電池モジュール１２の離隔距離が大きくなるのを防止出来る。即ち、フレキシブル太陽電池モジュール１２をパイプハウス骨格１６に装着することに起因してフレキシブル太陽電池モジュール１２に及ぼされる張力（パイプハウス骨格１６の奥行方向に作用する張力）を、紐状部材８８に分担させて、緩和することが可能となる。その結果、フレキシブル太陽電池モジュール１２の太陽電池セル１８が損傷する等の不具合の発生を防ぐことが出来る。
【０１００】
連結部材９２の連結軸９４への螺入深さを変更すれば、紐状部材８８の長さを変更することが出来る。これにより、パイプハウス骨格１６において隣りに位置する二つ門型骨格部材４６ａ，４６ａ毎に離隔距離が異なっていても、これら二つの門型骨格部材４６ａ，４６ａの間に配される紐状部材８８の長さを変更することでフレキシブル太陽電池モジュール１２に及ぼされる張力を緩和することが出来る。
【０１０１】
気温の変化等によって分割紐状体９０の長さが変化した場合等において、連結部材９２の連結軸９４への螺入深さを変更すれば、紐状部材８８を所期の長さに設定し直すことが出来る。
【０１０２】
紐状部材８８の長さを連続的に変更することが出来るので、紐状部材８８の長さを段階的に変更可能な場合に比して、紐状部材８８の長さの微調整が出来る。その結果、紐状部材８８の長さを変更する必要がある場合に、柔軟に対応することが可能となる。
【０１０３】
なお、紐状部材８８の長さを段階的に変更可能な構造を採用することも、勿論可能である。具体的には、例えば、分割紐状体９０の一端側において、連結軸９４の代わりに、係止フック９６を設けると共に、連結部材として係止フック９６が係止可能な係止孔を複数備えてものを採用し、係止フックが係止される係止孔を変更することで、紐状部材８８の長さを段階的に変更するようにしても良い。
【０１０４】
上述の説明から明らかなように、本実施形態では、分割紐状体９０に設けられた連結軸９４と連結部材９２によって張力調節手段が構成されている。
【０１０５】
二つの門型骨格部材４６ａ，４６ａの間に配設した状態で、紐状部材８８の長さを調節することが出来る。これにより、紐状部材８８を取り外してから長さ調節する必要がなくなる。その結果、紐状部材８８の長さ調節作業が極めて容易になる。
【０１０６】
本実施形態では、張力調節手段として、連結部材９２の連結軸９４への螺入深さを変更する構造が採用されていたが、例えば、図１７に示されているように、連結軸９４の内周面に形成されたねじ溝に対応するねじ山が外周面に形成された挿入軸１００を係止フック９６に設けると共に、分割紐状体９０の他端側にも連結軸９４を設けて、分割紐状体９０の他端側に設けられた連結軸９４への挿入軸１００の螺入深さを変更することにより、紐状部材８８の長さを変更するようにしても良い。なお、この場合には、分割紐状体９０の一端側に設けられた連結軸９４に対して係止フック９６の挿入軸１００を螺入するようにし、一つの分割紐状体９０で紐状部材を構成するようにしても良い。
【０１０７】
連結部材９２の代わりに、図１８に示されているように、弾性連結部材としてのコイルスプリング１０２によって二つの分割紐状体９０，９０を連結しても良い。これにより、気温の変化等に起因して分割紐状体９０の長さが変化した場合等において、コイルスプリング１０２の長さが変わることにより、紐状部材の全体長さを所期の長さに保つことが出来る。その結果、紐状部材の長さが適当に設定されているか否かの確認作業をしなくて済む。なお、弾性連結部材は、図１９に示したコイルスプリング１０２の他、ゴム弾性体等であっても良い。
【０１０８】
また、隣り合う二つの門型骨格部材４６ａ，４６ａ毎に離隔距離が異なっていても、紐状部材の長さを設定する必要がなくなる。その結果、紐状部材の配設作業が簡単になる。
【０１０９】
紐状部材８８の端部を取付片５２に取り付ける構造としては、図１７に示したように、係止フック９６を係止片９８に係止させる構造の他、例えば、分割紐状体９０の他端側にも連結軸９４を設けると共に、ねじ山が外周面に形成された軸部を取付片５２の外側面に突設して、軸部を連結軸９４の連結穴９７に螺入することにより、紐状部材８８の端部を取付片５２に取り付けるようにしても良い。或いは、取付片５２の外側面から垂直に延び出した板状片に開口形成された挿通孔と、分割紐状体９０の他端側に設けられた板状片に開口形成された挿通孔にボルトを挿通配置し、このボルトにナットを螺合することにより、紐状部材８８の端部を取付片５２に取り付けるようにしても良い。
【０１１０】
なお、本実施形態では、パイプハウス骨格１６の奥行方向で隣りに位置する二つの門型骨格部材４６ａ，４６ａのそれぞれに取り付けられたパイプハウス用取付部材４８，４８同士を紐状部材８８で連結するようにしたが、例えば、一つの門型骨格部材４６ａにおいて異なる位置に取り付けられたパイプハウス用取付部材４８，４８同士を紐状部材８６で連結するようにしても良い。この場合、気温の変化等に起因して門型骨格部材４６ａが変形した場合等において、門型骨格部材４６ａの延びる方向に沿ってフレキシブル太陽電池モジュール１２に作用する張力を緩和することが出来る。
【０１１１】
また、紐状部材８８の端部はパイプハウス用取付部材４８の取付片５２に対して取り付けられる必要は必ずしもない。例えば、パイプハウス用取付部材４８の台座シート５０に対して紐状部材８８の端部が取り付けられるようになっていても良い。
【０１１２】
また、本実施形態では、フレキシブル太陽電池モジュール１２の裏面に固着されるパイプハウス用取付部材４８の取付片５２に対して取付部（係止片９８）が設けられていたが、例えば、連結シートに係る本発明の第二，第三，第五の実施形態としての連結シート６４，６８，８６に設けられた取付片５２に対して取付部を設けることも、勿論、可能である。この場合であっても、フレキシブル太陽電池モジュール１２に及ぼされる張力を緩和することが出来る。
【０１１３】
以上、本発明の実施形態について詳述したが、本発明はその具体的な記載によって限定されない。例えば、台座シート５０と取付片５２を異なる材料で形成するようにしても良い。具体的には、例えば、端縁部に沿ってファスナーエレメントが並んだテープによって取付片を構成するようにしても良い。
【０１１４】
連結手段は、従来から公知の面ファスナーやスナップであっても良いが、防水機能を発揮する観点から、前記第一〜第四の実施形態で示した防水性スライドファスナーや、一方の側に設けられた凸状レールが他方の側に設けられた凹状レールに嵌め入れられるレールファスナー等が好適に採用される。
【符号の説明】
【０１１５】
１０：パイプハウス，１２：フレキシブル太陽電池モジュール，１４：連結シート，１６：パイプハウス骨格，２２：矩形シート状部材，２４：固着縁部，２８：裏側延出片，３０：表側延出片，３２：防水性スライドファスナー（連結手段），４０ａ：保護部，４０ｂ：保護部
【図１】
0005497413.tif 000002
【図２】
0005497413.tif 000003
【図３】
0005497413.tif 000004
【図４】
0005497413.tif 000005
【図５】
0005497413.tif 000006
【図６】
0005497413.tif 000007
【図７】
0005497413.tif 000008
【図８】
0005497413.tif 000009
【図９】
0005497413.tif 000010
【図１０】
0005497413.tif 000011
【図１１】
0005497413.tif 000012
【図１２】
0005497413.tif 000013
【図１３】
0005497413.tif 000014
【図１４】
0005497413.tif 000015
【図１５】
0005497413.tif 000016
【図１６】
0005497413.tif 000017
【図１７】
0005497413.tif 000018
【図１８】
0005497413.tif 000019